(57)【要約】【課題】構造が簡易にして小型の符号錠装置を提供する。【解決手段】固定軸１３上に回動可能かつ往復動可能に支持された各ロックギヤ１５はダイヤル１６と複数の回動角度位置で噛み合う。可動板１４は全てのロックギヤ１５と係合して一体に往復動させる。解錠符号設定機構は、施錠操作に応動したアクチュエータ２に可動板１４を連動させ各ロックギヤ１５と各ダイヤル１６とを噛み合わせて解錠符号列を記憶させ、解錠操作に応動したアクチュエータ２に可動板１４を連動させ各ロックギヤ１５と各ダイヤル１６との噛み合いを解いて解錠符号列の記憶を解除させる。ダイヤル強制復帰機構は、各ダイヤル１６に作用して回動させる複数の作動片４８を有し、施錠操作および解錠操作に応動したアクチュエータ２に全ての作動片４８を連動させてダイヤルを決められた角度位置まで強制回動させる。【選択図】図３
2007247296.tif 000002
【特許請求の範囲】
【請求項１】
固定軸と、固定軸上に回動可能に支持される複数個のダイヤルと、固定軸上の各ダイヤルの位置に回動可能かつ固定軸に沿って往復動可能に支持されるとともに各ダイヤルと複数の回動角度位置で噛み合う噛合部が形成されている複数個のロックギヤと、全てのロックギヤと係合して一体に往復動させる可動板と、解錠操作および施錠操作に応動するアクチュエータと、各ダイヤルと各ロックギヤとを前記噛合部を介していずれかの角度位置で噛み合わせて解錠符号列を記憶させる解錠符号設定機構と、各ダイヤルの符号が解錠符号列を構成する整列状態にあるときアクチュエータの作動を許容し不整列状態にあるときアクチュエータの作動を規制するロック機構と、解錠操作時および施錠操作時に全てのダイヤルを所定の角度位置まで強制回動させるダイヤル強制復帰機構とを備え、
前記解錠符号設定機構は、施錠操作に応動した前記アクチュエータに前記可動板を連動させて各ロックギヤと各ダイヤルとを噛み合わせることにより解錠符号列が記憶された状態を形成し、解錠操作に応動した前記アクチュエータに前記可動板を連動させて各ロックギヤと各ダイヤルとの噛み合わせを解くことにより解錠符号列の記憶が解除された状態を形成する駆動機構を有しており、
前記ダイヤル強制復帰機構は、各ダイヤルに作用して回動させる複数の作動片と、施錠操作および解錠操作に応動した前記アクチュエータに全ての作動片を連動させてダイヤルを決められた角度位置まで強制回動させる駆動機構とを備えて成る符号錠装置。
【発明の詳細な説明】
【技術分野】
【０００１】
この発明は、各種のロッカーやキャビネットなどに用いられる符号錠装置に関し、特にこの発明は、解錠符号列を自在に設定することが可能な符号錠装置に関する。
【背景技術】
【０００２】
従来の符号錠装置には、固定の解錠符号列が設定されたもの，解錠符号列を自在に設定することが可能なもの，符号錠の機構とシリンダ錠の機構とが組み合わされたものなどが存在する。いずれの符号錠装置においても、施錠に際し、撮みまたはシリンダ錠の鍵を回動操作した後、ダイヤル操作して解錠符号列を適当に崩すことにより施錠状態とする。解錠に際しては、ダイヤル操作により解錠符号列を揃えた後、撮みまたは鍵を前記と反対方向へ回動操作する。一度限りの使用でない限り、その後、解錠符号列を崩して施錠状態に戻しておく。
【０００３】
いずれのタイプの符号錠装置も、施錠操作後に解錠符号列を崩す操作が必要であり煩雑である。さらに、解錠操作後にも解錠符号列を崩しておく必要があり、これを忘れると、他人に解錠符号列が記憶されるおそれがある。これらの問題を解決するのに、施錠操作時および解錠操作時に解錠符号列を強制的に崩すためのダイヤル強制復帰機構が組み込まれたものが提案されている（例えば、特許文献１参照）
【０００４】
【特許文献１】特許第２５６４２３８号
【発明の開示】
【発明が解決しようとする課題】
【０００５】
上記のダイヤル強制復帰機構を備えた符号錠装置では、各ダイヤルを回動可能に支持する軸が往復動可能かつ回動可能な作動軸によって構成されており、施錠操作時や解錠操作時に各ダイヤルを決められた角度位置まで回動させる手段として、施錠操作および解錠操作に応動したアクチュエータに前記作動軸を連動させてこれを往復動させる往復動機構と、前記作動軸を連動させてこれを回動させる回動機構とが組み込まれている。そのために、内部構造および機構各部の動きが複雑となり、また、錠全体が著しく大型化するという問題がある。
【０００６】
この発明は、上記問題に着目してなされたもので、構造が簡易にして小型の符号錠装置を提供することを目的とする。
【課題を解決するための手段】
【０００７】
この発明による符号錠装置は、固定軸と、固定軸上に回動可能に支持される複数個のダイヤルと、固定軸上の各ダイヤルの位置に回動可能かつ固定軸に沿って往復動可能に支持されるとともに各ダイヤルと複数の回動角度位置で噛み合う噛合部が形成されている複数個のロックギヤと、全てのロックギヤと係合して一体に往復動させる可動板と、解錠操作および施錠操作に応動するアクチュエータと、各ダイヤルと各ロックギヤとを前記噛合部を介していずれかの角度位置で噛み合わせて解錠符号列を記憶させる解錠符号設定機構と、各ダイヤルの符号が解錠符号列を構成する整列状態にあるときアクチュエータの作動を許容し不整列状態にあるときアクチュエータの作動を規制するロック機構と、解錠操作時および施錠操作時に全てのダイヤルを所定の角度位置まで強制回動させるダイヤル強制復帰機構とを備えたものである。
前記解錠符号設定機構は、施錠操作に応動した前記アクチュエータに前記可動板を連動させて各ロックギヤと各ダイヤルとを噛み合わせることにより解錠符号列が記憶された状態を形成し、解錠操作に応動した前記アクチュエータに前記可動板を連動させて各ロックギヤと各ダイヤルとの噛み合わせを解くことにより解錠符号列の記憶が解除された状態を形成する駆動機構を有している。
また、前記ダイヤル強制復帰機構は、各ダイヤルに作用して回動させる複数の作動片と、施錠操作および解錠操作に応動した前記アクチュエータに全ての作動片を連動させてダイヤルを決められた角度位置まで強制回動させる駆動機構とを備えて成るものである。
【０００８】
施錠に際して、各ダイヤルを回して解錠符号列を設定する。解錠状態では、各ロックギヤと各ダイヤルとは噛み合っていないので、各ダイヤルは単独で回動し、解錠符号列の設定操作が可能である。解錠符号列を設定した後、施錠操作を行うと、アクチュエータが応動してこれに可動板が連動し、各ロックギヤと各ダイヤルとが噛み合い、解錠符号列が記憶される。また、施錠操作にアクチュエータが応動してこれにダイヤル強制復帰機構の全ての作動片が連動し、各ダイヤルが決められた角度位置まで強制回動し、これにより整列状態の解錠符号列が崩される。
【０００９】
つぎに、施錠に際して、各ダイヤルを回して解錠符号列を揃える。施錠状態では、各ロックギヤと各ダイヤルとは噛み合っているので、各ダイヤルはロックギヤと一体に回動する。各ダイヤルの符号が解錠符号列に揃えられると、アクチュエータの作動が許容されるが、揃っていなければ、アクチュエータの作動が規制される。
解錠符号列を揃えた後、解錠操作を行うと、アクチュエータが応動してこれに可動板が連動し、各ロックギヤと各ダイヤルとの噛み合いが外れた状態となり、解錠符号列の記憶が解除される。また、解錠操作にアクチュエータが応動してこれにダイヤル強制復帰機構の全ての作動片が連動し、各ダイヤルが決められた角度位置まで強制回動し、これにより整列状態の解錠符号列が崩される。
【発明の効果】
【００１０】
この発明によれば、ダイヤルを強制復帰させるのに、従来例のように、作動軸を往復動させたり回動させたりする機構を用いないから、内部構造および機構各部の動きが複雑とならず、また、錠全体を小型化できる。
【発明を実施するための最良の形態】
【００１１】
図１および図２は、この発明の一実施例である符号錠装置の外観を示す。この符号錠装置は、例えばロッカーやキャビネットなどの扉に取り付けられる。施錠および解錠に際して、図１に示す掛止片１が正逆回動し、ロッカーやキャビネットなどの本体に取り付けられた受け金具（図示せず。）に係脱する。
【００１２】
なお、以下の説明において、掛止片１が受け金具に係合した状態を「閉状態」、この閉状態がロック保持されている状態を「施錠状態」、ロック解除された状態を「解錠状態」、掛止片１が受け金具より外れた状態を「開状態」という。また「開状態」から「閉状態」を経て「施錠状態」へ至る人手による操作を「施錠操作」、「閉状態」から「解錠状態」を経て「開状態」へ至る人手による操作を「解錠操作」という。
【００１３】
図示例の符号錠装置は、解錠符号列が整列状態にあることにより解錠および施錠の各操作が可能となる符号錠の機構を備えている。この符号錠の機構は、解錠符号列を自在に設定することが可能である。なお、符号錠の機構に、シリンダ錠の機構を組み合わせることもできる。
【００１４】
図１および図２において、３は箱状をなすケース６の上面開口を塞ぐ前面プレートであり、板面の一端部寄りに円形の開口部４が、また中央部から他端部にかけて４個の窓孔５が、それぞれ設けてある。
前記ケース６の内部には、開口部４の位置にアクチュエータ２が、４個の窓孔５の位置に符号錠の機構が、それぞれ組み込まれている。前記アクチュエータ２の撮み８は開口部４より前面プレート３上へ突出させてある。符号錠の４桁の各ダイヤル１６は各窓孔５に臨ませてあり、各窓孔５より４個の各ダイヤル１６に表された符号（図示例では数字）が見えるようになっている。
【００１５】
図３、図１１、および図２３には、ケース６の内部構造が示してある。なお、これらの図は、解錠符号列の設定前の機構各部の状態を示している。
図示例の符号錠装置は、解錠符号列を自在に設定することを可能であり、かつ施錠操作および解錠操作に伴い解錠符号列を崩してゼロ復帰させることが可能となっており、アクチュエータ２，固定軸１３，４個のダイヤル１６，４個のロックギヤ１５、可動板１４、解錠符号設定機構１７，ロック機構１８，ダイヤル強制復帰機構１９、ゼロストッパー機構２０などの各構成を備えている。
【００１６】
ここで解錠符号列とは、その解錠符号列が前記の各窓孔５に整列したときに符号錠を「解錠状態」に、また不整列の状態になったときに「施錠状態」に、それぞれ設定する各ダイヤル１６の符号の並びをいう。なお以下の説明において、解錠符号列を構成する各ダイヤル１６の符号を、単に解錠符号という場合がある。
【００１７】
以下、上記した符号錠装置の各構成および動作を図面に基づいて具体的に説明する。
なお、図面の図３〜図１０は、前面プレート３を取り外したときのケース６の内部機構を施錠および解錠の各動作の流れに従って示したものである。図１１〜図１５は、固定軸１３に配備されたダイヤル１６とロックギヤ１５との関わりをロック機構１８の動作とともに示したものである。図１６〜図１８はダイヤル１６の構成を、図１９〜図２２はロックギヤ１５の構成を、それぞれ示している。図２３〜図３５はダイヤル強制復帰機構１９およびゼロストッパー機構２０の構成と動作とを示している。
【００１８】
（１）アクチュエータ２の構成（図１〜図３参照）
アクチュエータ２は、解錠操作および施錠操作に応動するもので、仕切板１１で区画された一方の空間Ａ内に筒状体１０が回動可能に支持されて成る。前記筒状体１０の上端には前記撮み８が取り付けられ、この撮み８を撮んで正逆いずれかの方向へ回動操作すると、筒状体１０が一体に回動する。なお、このアクチュエータ２として公知のシリンダ錠の機構を用いて構成する場合は、内筒と外筒とを組み合わせて筒状体１０を構成し、内筒内へ適正な鍵を挿入して回動操作したとき、内筒と外筒とが一体に回動するように構成するものである。
【００１９】
前記筒状体１０の下端にはケース６外へ突出する取付軸２９が、また、取付軸２９には前記掛止片１が、それぞれ取り付けられており、撮み８を回動操作すると、掛止片１が筒状体１０と一体に正逆回動する。
前記筒状体１０の外周面には、後述する解錠符号設定機構１７やダイヤル強制復帰機構１９を構成する機構が装備されている。
【００２０】
（２）固定軸１３の構成（図３、図１１参照）
固定軸１３は、アクチュエータ２の筒状体１０と直交する方向に水平に設けられている。固定軸１３の両端部は前記仕切板１１と端板１２とに固定される。固定軸１３の軸周面には、一定間隔毎に４個の凸子２３がそれぞれ同じ角度位置に一体形成されている。この実施例では、上記した４個の凸子２３から成る凸子列が２列設定されているが、これに限らず、１列であってもよい。これら凸子２３は後述するロック機構１８を構成する。
【００２１】
（３）ダイヤル１６およびロックギヤ１５の構成（図３、図１１、図１６〜図１８、図１９〜図２２参照）
４個のダイヤル１６は、前記固定軸１３上の決められた等間隔位置にそれぞれ回動可能に支持されている。各ダイヤル１６は、外周面の等角度位置毎に「０」〜「９」の符号が付された操作部２４を有し、その操作部２４の一側面にゼロストッパー機構２０（詳細は後述）を構成する第１のカム板２５と、ダイヤル強制復帰機構１９（詳細は後述）を構成する第２のカム板２６と、ダイヤル間欠送り機構２８を構成する第３のカム板２７とが一体に設けられている（図１６，１７）。
【００２２】
前記第３のカム板２７は、外周縁に符号数に相当する数の谷部３１が形成されたものであり、板ばね３０とともにダイヤル間欠送り機構２８を構成している。前記板ばね３０は、基端が適所に固定され、先端部が第３のカム板２７の外周縁に押し当てられている。前記板ばね３０の先端部が第３のカム板２７の各谷部３１と順次噛み合うことにより、ダイヤル１６が所定の回動角度位置に順次止まり、前面プレート３の窓孔５に「０」〜「９」の符号が順次出現する。
【００２３】
各ロックギヤ１５は、固定軸１３上の各ダイヤル１６の位置に回動可能かつ固定軸１３に沿って往復動可能に支持されている。各ダイヤル１６の内周面には、符号数に一致する数の嵌合溝３２が等角度間隔で一周配置され（図１８）、一方、各ロックギヤ１５の外周には、ダイヤル１６の嵌合溝３２と嵌合可能な嵌合突子３３が等角度間隔で符号数に一致する数だけ一周配置されている（図１９〜図２２）。
【００２４】
ロックギヤ１５がダイヤル１６に向けて移動して、ロックギヤ１５の各嵌合突子３３とダイヤル１６の嵌合溝３２とが噛み合ったとき、ダイヤル１６とロックギヤ１５とが結合して一体回動が可能となる。これに対して、ロックギヤ１５がダイヤル１６から離れてロックギヤ１５の各嵌合突子３３とダイヤル１６の嵌合溝３２との噛み合いが外れたとき、ダイヤル１６はロックギヤ１５との係わりが切れ、単独で回動可能となる。
ロックギヤ１５とダイヤル１６とが噛み合う角度位置は符号数に一致する数だけ存在し、これにより解錠符号を１０とおり設定することが可能となっている。
各ロックギヤ１５の外周面には、次に説明する可動板１４の係合片３８，３９が係合する係合溝３５が一周形成されている。
【００２５】
（４）可動板１４の構成（図３、図１１参照）
可動板１４は、ケース６の両側壁６０，６１の内側に、各側壁６０，６１に沿って往復動可能に配備された往復動板３６，３７と、各往復動板３６，３７にそれぞれ一体形成された４個の係合片３８，３９とから成る。各係合片３８，３９は、それぞれ往復動板３６，３７と直角をなし、固定軸１３の方向へ突出している。各係合片３８，３９の先端部は固定軸１３を挟んで互いに対向している。各係合片３８，３９の先端は円弧状をなし、この円弧状の先端部はロックギヤ１５の係合溝３５にロックギヤ１５が回動することが可能なように係合させてある。可動板１４を固定軸１３の長さ方向へ往復動させると、各係合片３８，３９と係合する全てのロックギヤ１５が一斉に往復動し、ダイヤル１６と噛み合ったり、噛み合いが外れたりする。
【００２６】
（５）解錠符号設定機構１７の構成（図３、図１１参照）
解錠符号設定機構１７は、各ダイヤル１６と各ロックギヤ１５とを前記した噛合部を介していずれかの回動角度位置で噛み合わせることにより解錠符号列を記憶させるものである。この解錠符号設定機構１７は、解錠符号列の設定操作が可能な状態、すなわち、ロックギヤ１５とダイヤル１６との係わりが切れた状態と、解錠符号列が記憶された状態、すなわち、ロックギヤ１５とダイヤル１６とが係わった状態とを形成するための駆動機構２１を有している。この駆動機構２１は前記アクチュエータ２の作動に前記可動板１４を連動させて各ロックギヤ１５のダイヤル１６に噛み合わせたり、噛み合わせを解いたりする。前記可動板１４の各往復動板３６，３７は、アクチュエータ２が装備された空間Ａ内に突出し、一方の往復動板３６の先端部とアクチュエータ２の筒状体１０との間に前記駆動機構２１が形成されている。
【００２７】
図示例の駆動機構２１は、前記筒状体１０の外周面に所定の角度だけ隔てて突設された一対の突起４０，４１と、前記往復動板３６の先端部に設けられた各突起４０，４１と係脱可能な駆動板４２とで構成されている。前記駆動板４２は所定の深さの凹溝４３を有し、前記凹溝４３の両端縁は各突起４０，４１が引っ掛かる段部４３ａ，４３ｂとなっている。各突起４０，４１は反対側にそれぞれ立ち上がり部４４，４５を有している。
【００２８】
一方の突起４０の立ち上がり部４４は、施錠操作によりアクチュエータ２が回動したとき、一方の段部４３ａを所定のタイミングで引っ掛け、所定の距離だけ可動板１４を移動させることによりロックギヤ１５をダイヤル１６に噛み合わせる。
他方の突起４１の立ち上がり部４５は、解錠操作によりアクチュエータ２が前記と逆方向へ回動したとき、他方の段部４３ｂを所定のタイミングで引っ掛け、前記と同じ距離だけ可動板１４を反対方向へ移動させることによりロックギヤ１５とダイヤル１６との噛み合わせを解く。
【００２９】
（６）ロック機構１８の構成（図３、図１１参照）
ロック機構１８は、施錠状態のとき、各窓孔５に現れる各ダイヤル１６の符号がすべて解錠符号であるとき（解錠符号列が揃ったとき）、解錠操作に伴うアクチュエータ２の回動を許容し、いずれかダイヤル１６の符号が解錠符号でないとき（解錠符号列が揃っていないとき）、アクチュエータ２の回動を規制するものである。
図示例のロック機構１８は、前記固定軸１３の軸周面に突設された各列が４個の凸子２３より成る２列の凸子列と、各ロックギヤ１５の内周面の長さ方向に設けられた２個の凸子進入溝４６とで構成されている。各凸子進入溝４６と各凸子２３とが同じ角度位置にあるとき、各凸子進入溝４６へ各凸子２３が進入することができるので、ロックギヤ１５の移動が許容され、その結果、解錠操作に伴うアクチュエータ２の作動が許容される。なお、図２１において、４７は凸子係合穴であり、いずれかの凸子２３が凸子係合穴４７と係合する角度位置にあるとき、ロックギヤ１５の移動が規制され、その結果、解錠操作に伴うアクチュエータ２の回動が規制される。
【００３０】
（７）ダイヤル強制復帰機構１９の構成（図３、図２３、図３１参照）
ダイヤル強制復帰機構１９は、解錠符号列を設定した後、「開状態」から「閉状態」へ移行させるとき、整列状態の解錠符号列を崩して各ダイヤル１６を決められた角度位置まで回動させ、一方、解錠符号列を揃えた後、「閉状態」から「開状態」へ移行させるとき、同様に、整列状態の解錠符号列を崩して各ダイヤル１６を決められた角度位置まで回動させるためのものである。この実施例では、いずれの場合も、各ダイヤル１６の窓孔５に「０」が出現するような回動角度位置に各ダイヤル１６を強制回動させるように構成されているが、これに限らず、他の決められた符号が各窓孔５に出現するように構成することもできる。
【００３１】
このようなゼロ復帰動作を実現するのに、この実施例では、各ダイヤル１６に設けられた第２のカム板２６に作用してカム板２６を回動させる４個の作動片４８と、施錠操作および解錠操作に前記アクチュエータ２が応動したとき全ての作動片４８を連動させてダイヤル１６を決められた角度位置まで強制回動させる駆動機構２２とで構成されている。
【００３２】
前記の各作動片４８は、前記固定軸１３と平行に設けられた回動軸４９に各ダイヤル１６と対応させて設けられており、回動軸４９の正逆回動に応じて各作動片４８が一斉に揺動する。各ダイヤル１６に設けられた第２のカム板２６は、固定軸１３を挟む対角位置に、各作動片４８による押圧を受ける当たり面５０，５１を有している。一方、各作動片４８の先端部には前記当たり面５０，５１に対応する位置に押圧部５２，５３が形成してあり、いずれかの押圧部５２，５３が当たり面５０，５１のいずれかを押してダイヤル１６を正逆いずれかの方向へ、窓孔５に「０」が出現する角度位置まで強制回動させる。
【００３３】
前記の回動軸４９は、両端部が仕切板１１と端板１２とに回動自由に支持されている。回動軸４９の一端部はアクチュエータ２が装備された空間Ａ内に突出し、その突出端に、揺動板５４が装着されている。この揺動板５４とアクチュエータ２の筒状体１０に形成されたカム機構５５とでダイヤル強制復帰機構１９の駆動機構２２が形成されている。
前記揺動板５４の先端部には前記カム機構５５によってガイドされる軸部５６およびガイドローラ５７が設けられている。軸部５６およびガイドローラ５７の移動に応じて揺動板５４が傾き、揺動板５４の揺動に応じて回動軸４９が回動する。
【００３４】
前記カム機構５５は、筒状体１０の外周に回動可能に被せられたスリーブ７を備えている。このスリーブ７は、施錠操作や解錠操作の開始時、筒状体１０が所定の角度だけ空転した後、筒状体１０に引っ掛けられて一体に所定の角度だけ回動するようになっている。この空転期間に各ロックギヤ１５と各ダイヤル１６とが噛み合ったり噛み合わせが解かれたりする。前記スリーブ７にはガイド溝５８が切り欠かれ、ガイド溝５８内の筒状体１０の外周面には一対のガイド板６２，６３が突設されている。前記ガイドローラ５７はガイド溝５８の溝縁に沿って、軸部５６はガイド板６２，６３に沿って、それぞれ移動する。この移動に応じて揺動板５４が揺動して回動軸４９が回動し、各作動片４８が揺動する。
【００３５】
（８）ゼロストッパー機構２１の構成（図３、図２３、図３１参照）
ゼロストッパー機構２１は、施錠操作および解錠操作の開始に際して、解錠符号列の設定もしくは整列操作の後に施錠操作または解錠操作を行うことを順序付けるために、復帰させる符号列、すなわち「０」が４個並んだ状態下で施錠操作または解錠操作を行っても、アクチュエータ２を回動させないようにするためのものである。
このような動作を実現するために、この実施例では、各ダイヤル１６の第１のカム板２５に作用させて全てのダイヤル１６が窓孔５に「０」が出現する回動角度位置にあるかどうかを検出するための複数の検出片６４と、これらの検出片６４によって全てのダイヤル１６が窓孔５に「０」が出現する角度位置にあることが検出されたとき、すなわち、「０」が４個並んだ状態が検出されたとき、施錠および解錠の各操作に伴うアクチュエータ２の回動を規制する規制機構６５とで構成されている。
【００３６】
各検出片６４は、前記固定軸１３と平行に設けられた検出軸６６の各ダイヤル１６と対応する位置に設けられている。前記の第１のカム板２５は外周面に凹部６７を備えており、全てのダイヤル１６が窓孔５に「０」が出現する回動角度位置にあるときに、全ての検出片６４が各ダイヤル１６の第１のカム板２５の凹部６７に嵌り込むことにより、検出軸６６が所定の角度だけ回動する。一方、いずれかのダイヤル１６が窓孔５に「０」以外の符号が出現する回動角度位置にあるときに、そのダイヤル１６の第１のカム板２５の凹部６７に検出片６４が嵌り込まず、従って、他のダイヤル１６についても凹部６７に検出片６４が嵌り込まないので、検出軸６６は回動しない。
【００３７】
前記検出軸６６は、両端部が仕切板１１と端板１２とに回動自由に支持されている。検出軸６６の一端部はアクチュエータ２が装備された空間Ａ内に突出している。検出軸６６の突出端には規制片６８が装着され、この規制片６８とアクチュエータ２の筒状体１０の２箇所に形成された係合穴６９，６９とでゼロストッパー機構２０の規制機構６５が形成されている。前記規制片６８は検出軸６６の正逆回動により係合穴６９に係脱するものである。
【００３８】
「開状態」および「閉状態」のとき、「０」が４個並んだゼロ復帰状態にあれば、全ての検出片６４が第１のカム板２５の凹部６７に嵌り込むので、検出軸６６が回動して規制片６８が係合穴６９に係合し、アクチュエータ２が作動が規制されて施錠操作や解錠操作が困難となる。これに対して、「０」が４個並んでいない状態にあれば、いずれの検出片６４も第１のカム板２５の凹部６７に嵌り込まないので、検出軸６６が回動せず、規制片６８は係合穴６９と係合しない。これによりアクチュエータ２の作動規制が解除され、施錠操作や解錠操作が可能となる。
【００３９】
つぎに上記した構成の符号錠装置について、図面の図３〜図１０、図１１〜図１５、図２３〜図３０、および図３１〜図３５に従って施錠操作時および解錠操作時の一連の動作を詳細に説明する。
まず、施錠操作時の動作について説明すると、符号錠装置が図３および図１１に示された「開状態」にあるとき、固定軸１３上の各ダイヤル１６は各ロックギヤ１５との係わりが切れた回動自由な状態にあり、解錠符号を自在に設定することが可能である。
全てのダイヤル１６が窓孔５に「０」が出現する角度位置にあるとき、すなわち、「０」が４個並んだ状態にあるとき、ゼロストッパー機構２０の全ての検出片６４が第１のカム板２５の凹部６７に係合し（図２３参照）、規制片６８が係合孔６９に係合しているので（図３、図３１参照）、解錠操作ができない。
【００４０】
いま、各ダイヤル１６を回動操作して任意の解錠符号列（図示例では「１１１１」）を設定すると（図４参照）、ゼロストッパー機構２０の全ての検出片６９が前記凹部６７との係合が外れるので（図２４参照）、検出軸６６が回動して規制片６８が係合穴６９との係合が外れ（図４、図３２参照）、符号錠装置は施錠操作が可能な状態に設定される。
この段階では、解錠符号設定機構１７における一方の突起４０は駆動板４２の凹溝４３の一方の段部４３ａに係合した状態にある（図４参照）。
【００４１】
次に、撮み８を回動操作すると、アクチュエータ２の筒状部１０が回動し、前記突起４０は駆動板４２を引っ張って可動板１４を移動させる結果、各ロックギヤ１５が各ダイヤル１６と噛み合い、解錠符号列が記憶される（図５参照）。この段階で各ロックギヤ１５の凸子進入溝４６より４個の各凸子２３が脱出するので、各ロックギヤ１５と各ダイヤル１６とは一体回動が可能な状態になっている（図１２参照）。
【００４２】
さらに、撮み８の回動を続けると、ダイヤル強制復帰機構１９におけるガイドローラ５７がガイド溝５８にガイドされ（図３３参照）、さらに、軸部５６がガイド板６２にガイドされる結果（図３４参照）、揺動板５４が揺動して回動軸４９が回動し、各作動片４８の押圧部５２，５３が各ダイヤル１６の第２のカム板２６の当たり面５０，５１を押すことにより（図２５，２６参照）、全てのダイヤル１６をロックギヤ１５と噛み合った状態のまま、窓孔５に「０」が出現する角度位置まで強制回動させる（図６，図７参照）。
この状態のとき、固定軸１３の各凸子２３に対して各ロックギヤ１５の凸子進入溝４６が位置ずれして施錠状態になるので、ロックギヤ１５の移動が規制され、その結果、解錠操作に伴うアクチュエータ２の回動が規制される（図１３参照）。
また、ゼロストッパー機構２０の全ての検出片６４は第１のカム板２５の凹部６７に係合し（図２７参照）、規制片６８が係合孔６９に係合している（図３５参照）。
【００４３】
次に、解錠操作時の動作について説明すると、まず、各ダイヤル１６を回動操作して前記の解錠符号列を揃えると（図８参照）、ゼロストッパー機構２０の全ての検出片６９が前記凹部６７との係合が外れるので（図２８参照）、検出軸６６が回動して規制片６８が係合穴６９との係合が外れ（図８参照）、符号錠装置は解錠操作が可能な状態に設定される。この状態のとき、固定軸１３の各凸子２３と各ロックギヤ１５の凸子進入溝４６との位置が揃って解錠状態になるので、ロックギヤ１５の移動が許容され、その結果、解錠操作に伴うアクチュエータ２の回動が許容される（図１４参照）。
なお、この段階では、解錠符号設定機構１７における他方の突起４１は駆動板４２の凹溝４３の他方の段部４３ｂに係合した状態にある（図８参照）。
【００４４】
次に、撮み８を前記とは逆方向へ回動操作すると、アクチュエータ２の筒状部１０が回動し、前記突起４０は駆動板４２を引っ張って可動板１４を前記反対方向へ移動させる結果、各ロックギヤ１５と各ダイヤル１６との噛み合いが外れ、解錠符号列の記憶が解除される（図９参照）。
【００４５】
さらに、撮み８の回動を続けると、前記したダイヤル強制復帰機構１９におけるガイドローラ５７や軸部５６がガイド溝５８やガイド板６３にガイドされる結果、揺動板５１が揺動して回動軸４９が回動し、各作動片４８の押圧部５２，５３が各ダイヤル１６の第２のカム板２６の当たり面５０，５１を押すことにより（図２９，３０参照）、全てのダイヤル１６をロックギヤ１５との係わりが切れた状態で窓孔５に「０」が出現する角度位置まで強制回動させる（図１０参照）。
【００４６】
この状態のとき、各ロックギヤ１５の凸子進入溝４６へ４個の各凸子２３が進入して各ロックギヤ１５は回動が規制された状態、また、各ダイヤル１６は単独で回動が可能な状態、すなわち、解錠符号の設定が可能な状態になっている（図１５参照）。
また、ゼロストッパー機構２０の全ての検出片６４は第１のカム板２５の凹部６７に係合し（図３０参照）、規制片６８が係合孔６９に係合する（図３参照）。
【図面の簡単な説明】
【００４７】
【図１】この発明にかかる符号錠装置の外観を示す平面図である。
【図２】この発明にかかる符号錠装置の外観を示す側面図である。
【図３】符号錠装置の内部構造および動作（開状態時）を前面プレートを取り外すことにより示した平面図である。
【図４】符号錠装置の内部構造および動作（解錠符号設定時）を前面プレートを取り外すことにより示した平面図である。
【図５】符号錠装置の内部構造および動作（施錠操作時）を前面プレートを取り外すことにより示した平面図である。
【図６】符号錠装置の内部構造および動作（ゼロ復帰動作時）を前面プレートを取り外すことにより示した平面図である。
【図７】符号錠装置の内部構造および動作（閉状態時）を前面プレートを取り外すことにより示した平面図である。
【図８】符号錠装置の内部構造および動作（解錠符号整列時）を前面プレートを取り外すことにより示した平面図である。
【図９】符号錠装置の内部構造および動作（解錠操作時）を前面プレートを取り外すことにより示した平面図である。
【図１０】符号錠装置の内部構造および動作（ゼロ復帰時）を前面プレートを取り外すことにより示した平面図である。
【図１１】符号錠装置の動作（開状態時）を示す断面図である。
【図１２】符号錠装置の動作（解錠符号設定時）を示す断面図である。
【図１３】符号錠装置の動作（閉状態時）を示す断面図である。
【図１４】符号錠装置の動作（解錠符号整列時）を示す断面図である。
【図１５】符号錠装置の動作（ゼロ復帰時）を示す断面図である。
【図１６】ダイヤルの一方の側面図である。
【図１７】ダイヤルの正面図である。
【図１８】ダイヤルの他方の側面図である。
【図１９】ロックギヤの一方の側面図である。
【図２０】ロックギヤの正面図である。
【図２１】ロックギヤの他方の側面図である。
【図２２】図２１のＡ−Ａ線に沿う断面図である。
【図２３】ダイヤル強制復帰機構およびゼロストッパー機構の構成および動作（開状態時）を示す断面図である。
【図２４】ダイヤル強制復帰機構およびゼロストッパー機構の構成および動作（解錠符号設定時）を示す断面図である。
【図２５】ダイヤル強制復帰機構およびゼロストッパー機構の構成および動作（施錠操作時）を示す断面図である。
【図２６】ダイヤル強制復帰機構およびゼロストッパー機構の構成および動作（ゼロ復帰動作時）を示す断面図である。
【図２７】ダイヤル強制復帰機構およびゼロストッパー機構の構成および動作（閉状態時）を示す断面図である。
【図２８】ダイヤル強制復帰機構およびゼロストッパー機構の構成および動作（解錠符号整列時）を示す断面図である。
【図２９】ダイヤル強制復帰機構およびゼロストッパー機構の構成および動作（解錠操作時）を示す断面図である。
【図３０】ダイヤル強制復帰機構およびゼロストッパー機構の構成および動作（ゼロ復帰動作時）を示す断面図である。
【図３１】ダイヤル強制復帰機構の駆動機構およびゼロストッパー機構の規制機構の構成および動作（開状態時）を示すアクチュエータの側面図である。
【図３２】ダイヤル強制復帰機構の駆動機構およびゼロストッパー機構の規制機構の構成および動作（解錠符号設定時）を示すアクチュエータの側面図である。
【図３３】ダイヤル強制復帰機構の駆動機構およびゼロストッパー機構の規制機構の構成および動作（施錠操作時）を示すアクチュエータの側面図である。
【図３４】ダイヤル強制復帰機構の駆動機構およびゼロストッパー機構の規制機構の構成および動作（施錠操作時）を示すアクチュエータの側面図である。
【図３５】ダイヤル強制復帰機構の駆動機構およびゼロストッパー機構の規制機構の構成および動作（閉状態時）を示すアクチュエータの側面図である。
【符号の説明】
【００４８】
２    アクチュエータ
１３  固定軸
１４  可動板
１５  ロックギヤ
１６  ダイヤル
１７  解錠符号設定機構
１８  ロック機構
１９  ダイヤル強制復帰機構
２０，２１  駆動機構
４８  作動片
【図１】
2007247296.tif 000003
【図２】
2007247296.tif 000004
【図３】
2007247296.tif 000005
【図４】
2007247296.tif 000006
【図５】
2007247296.tif 000007
【図６】
2007247296.tif 000008
【図７】
2007247296.tif 000009
【図８】
2007247296.tif 000010
【図９】
2007247296.tif 000011
【図１０】
2007247296.tif 000012
【図１１】
2007247296.tif 000013
【図１２】
2007247296.tif 000014
【図１３】
2007247296.tif 000015
【図１４】
2007247296.tif 000016
【図１５】
2007247296.tif 000017
【図１６】
2007247296.tif 000018
【図１７】
2007247296.tif 000019
【図１８】
2007247296.tif 000020
【図１９】
2007247296.tif 000021
【図２０】
2007247296.tif 000022
【図２１】
2007247296.tif 000023
【図２２】
2007247296.tif 000024
【図２３】
2007247296.tif 000025
【図２４】
2007247296.tif 000026
【図２５】
2007247296.tif 000027
【図２６】
2007247296.tif 000028
【図２７】
2007247296.tif 000029
【図２８】
2007247296.tif 000030
【図２９】
2007247296.tif 000031
【図３０】
2007247296.tif 000032
【図３１】
2007247296.tif 000033
【図３２】
2007247296.tif 000034
【図３３】
2007247296.tif 000035
【図３４】
2007247296.tif 000036
【図３５】
2007247296.tif 000037